(57)【要約】【課題】水回りの機器に設けたセンサによる検出値に基づいて、その機器を使用した人の生活状況を見守る見守りシステムを提供する。【解決手段】見守りシステムは、水処理装置と、水処理装置から操作状態情報を受信する第一端末装置と、第一端末装置から操作状態情報と、報告設定時刻情報とを受信し、報告設定時刻情報に操作状態情報を送信するメールサーバ端末装置と、メールサーバ端末装置が送信した操作状態情報を受信する第二端末装置と、を備える。【選択図】図１
2018005478.tif 000002
【特許請求の範囲】
【請求項１】
操作部と、
前記操作部に取り付けられ、前記操作部に対する操作を検出するセンサと、
前記センサが検出した検出値に基づいて、前記操作部の操作状態を判定する制御部と、
前記制御部が判定した操作状態を示す操作状態情報を送信する通信部と、
を備える水処理装置。
【請求項２】
前記水処理装置は浄水器であって、
前記センサは、浄水と原水とを切り替える操作部に取り付けられ、前記操作部に対する操作を検出する、
請求項１に記載の水処理装置。
【請求項３】
前記水処理装置は水栓であって、
前記センサは、出水と停水とを切り替える操作部に取り付けられ、前記操作部に対する操作を検出する、
請求項１に記載の水処理装置。
【請求項４】
前記水処理装置はシャワーであって、
前記センサは、前記シャワーのシャワーヘッドに取り付けられ、前記シャワーヘッドに対する操作を検出する、
請求項１に記載の水処理装置。
【請求項５】
前記制御部が、所定の期間において判定した前記操作状態情報を記憶する記憶部、
をさらに備える請求項１から請求項４の何れか１項に記載の水処理装置。
【請求項６】
前記センサと、前記制御部と、前記通信部と、前記記憶部とに電力を供給するボタン電池を収納する電池収納部、
をさらに備える請求項５に記載の水処理装置。
【請求項７】
前記操作状態情報は、前記操作部に対する操作によって設定された設定位置の情報および前記設定位置の変更回数を含む、
請求項１から請求項６の何れか１項に記載の水処理装置。
【請求項８】
前記センサが、前記操作部に対する操作以外に、前記操作部が取り付けられた水栓の蛇口の移動に伴う前記操作部の動きを検出し、
前記制御部は、前記センサが検出した検出値に基づいて、前記水栓の操作状態を判定する、
請求項１から請求項７の何れか１項に記載の水処理装置。
【請求項９】
前記通信部が、1日のうち所定の回数のみ前記操作状態情報を送信する、
請求項１から請求項８の何れか１項に記載の水処理装置。
【請求項１０】
請求項１から請求項９の何れか1項に記載の水処理装置と、
前記水処理装置から前記操作状態情報を受信する第一端末装置と、
前記第一端末装置から前記操作状態情報と、報告設定時刻情報とを受信し、前記報告設定時刻情報に前記操作状態情報を送信するメールサーバ端末装置と、
前記メールサーバ端末装置が送信した前記操作状態情報を受信する第二端末装置と、
を備える見守りシステム。
【請求項１１】
操作部を備える水処理装置において、
前記操作部に取り付けられたセンサが、前記操作部に対する操作を検出し、
制御部が、前記センサが検出した検出値に基づいて、前記操作部の操作状態を判定し、
通信部が、前記制御部が判定した操作状態を示す操作状態情報を送信する、
見守り情報の送信方法。
【発明の詳細な説明】
【技術分野】
【０００１】
本発明は、水処理装置、見守りシステム及び見守り情報の送信方法に関する。
【背景技術】
【０００２】
近年、ネット家電やスマート家電などと呼ばれ、通信機能を有し、他の機器と連携させることによって利便性を向上させた家電機器が注目されている。例えば、特許文献１には、インクカートリッジを用いるプリンタ本体や、交換可能なフィルタを備えた空気清浄機等にビーコン装置を内蔵した機器が記載されている。これらの機器に設けられたビーコン装置は、識別情報および機器に関連する状態情報を通信端末にビーコン信号として送信し、通信端末は、受信したビーコン信号をサーバ装置に送信するように構成されている。そしてサーバ装置は、識別情報や機器の状態情報を記憶し、これらの情報に対応する消耗品情報（消耗品の価格、購入先情報など）を、消耗品の管理を行うユーザが使用する端末装置に送信するように構成されている。
【０００３】
また、高齢者、単身者、共働き世帯の増加に伴い、見守りシステムに対するニーズが高まっている。例えば、家にカメラや人感センサを設置して室内の様子を検出し、外出中のユーザが携帯端末装置等を用いて室内の様子をモニターしたり、異常があった場合は、異常通知をユーザの携帯端末装置等に対して行なったりすることができる見守りシステムが提供されている。
【先行技術文献】
【特許文献】
【０００４】
【特許文献１】特開２０１５−１７６１９７号公報
【発明の概要】
【発明が解決しようとする課題】
【０００５】
ところで、人が生活しているかどうかを把握するためには、水回りの機器の使用を監視する方法が考えられる。つまり、人が生活していれば、水を使用するために、水栓、浄水器、シャワー等の水回りの機器を使用するはずであり、水栓等が操作されたことを検出することにより、その家に住む人の生活の様子を把握できる可能性がある。しかしながら、特許文献１に記載の消耗品情報通知システムにおけるビーコン装置は、家電製品が備える消耗品の使用度合の情報を通知するだけなので、家電製品が使用されない時期などには情報が通知されず、見守りシステムには適さない。また、従来の見守りシステムでは、カメラ等を新たに設置する必要があり、コスト面の課題が存在する。
【０００６】
そこでこの発明は、上述の課題を解決することのできる水処理装置、見守りシステム及び見守り情報の送信方法を提供することを目的としている。
【課題を解決するための手段】
【０００７】
本発明の第１の態様によれば、水処理装置は、操作部と、前記操作部に取り付けられ、前記操作部に対する操作を検出するセンサと、前記センサが検出した検出値に基づいて、前記操作部の操作状態を判定する制御部と、前記制御部が判定した操作状態を示す操作状態情報を送信する通信部と、を備える。
【０００８】
また本発明の第２の態様における前記水処理装置は浄水器であって、前記センサは、浄水と原水とを切り替える操作部に取り付けられ、前記操作部に対する操作を検出する。
【０００９】
また本発明の第３の態様における前記水処理装置は水栓であって、前記センサは、出水と停水とを切り替える操作部に取り付けられ、前記操作部に対する操作を検出する。
【００１０】
また本発明の第４の態様における前記水処理装置はシャワーであって、前記センサは、前記シャワーのシャワーヘッドに取り付けられ、前記シャワーヘッドに対する操作を検出する。
【００１１】
また本発明の第５の態様における前記水処理装置は、前記制御部が所定の期間において判定した前記操作状態情報を記憶する記憶部、をさらに備える。
【００１２】
また本発明の第６の態様における前記水処理装置は、前記センサと、前記制御部と、前記通信部と、前記記憶部とに電力を供給するボタン電池を収納する電池収納部、をさらに備える。
【００１３】
また本発明の第７の態様における前記操作状態情報が、前記操作部に対する操作によって設定された設定位置の情報および前記設定位置の変更回数を含む。
【００１４】
また本発明の第８の態様における前記水処理装置では、前記センサが、前記操作部に対する操作以外に、前記操作部が取り付けられた水栓の蛇口の移動に伴う前記操作部の動きを検出し、前記制御部は、前記センサが検出した検出値に基づいて、前記水栓の操作状態を判定する。
【００１５】
また本発明の第９の態様における前記通信部は、１日のうち所定の回数のみ前記操作状態情報を送信する。
【００１６】
また本発明の第１０の態様によれば、上述の何れか１つに記載の水処理装置と、前記水処理装置から前記操作状態情報を受信する第一端末装置と、前記第一端末装置から前記操作状態情報と、報告設定時刻情報とを受信し、前記報告設定時刻情報に前記操作状態情報を送信するメールサーバ端末装置と、前記メールサーバ端末装置が送信した前記操作状態情報を受信する第二端末装置と、を備える見守りシステムである。
【００１７】
また本発明の第１１の態様によれば、操作部を備える水処理装置において、前記操作部に取り付けられたセンサが、前記操作部に対する操作を検出し、制御部が、前記センサが検出した検出値に基づいて、前記操作部の操作状態を判定し、通信部が、前記制御部が判定した操作状態を示す操作状態情報を送信する、見守り情報の送信方法である。
【発明の効果】
【００１８】
本発明によれば、水回りの機器の操作状態を検出することによって、その機器を使用する人の生活状況を把握することができる。
【図面の簡単な説明】
【００１９】
【図１】本発明の第一実施形態における見守りシステムの概略図である。
【図２】本発明の第一実施形態における浄水器１０の斜視図である。
【図３】本発明の第一実施形態における浄水器１０の切換操作部６付近の側面図である。
【図４】本発明の第一実施形態における操作状態検出装置１００の実装例を示す図である。
【図５】本発明の第一実施形態における操作状態検出装置１００の機能ブロック図である。
【図６】本発明の第一実施形態において記憶部１０４に記録された操作状態情報の一例を示す図である。
【図７】本発明の第一実施形態における操作状態情報の送受信タイミングを説明する図である。
【図８】本発明の第一実施形態における操作状態情報の検出および送信処理の一例を示すフローチャートである。
【図９】本発明の第一実施形態における操作状態情報の送信処理の一例を示すフローチャートである。
【図１０】本発明の第二実施形態において操作状態検出装置１００が検出する浄水器１０の移動方向を説明する図である。
【図１１】本発明の第二実施形態における操作状態検出装置１００ａの機能ブロック図である。
【図１２】本発明の第二実施形態における操作状態情報の検出および送信処理の一例を示すフローチャートである。
【図１３】本発明の第三実施形態における複合水栓５０の斜視図である。
【図１４】本発明の第四実施形態におけるシャワー装置６０の側面図である。
【図１５】本発明の第四実施形態における操作状態検出装置１００ｂの機能ブロック図である。
【発明を実施するための形態】
【００２０】
＜第一実施形態＞
以下、本発明の第一実施形態による見守りシステムを図１〜図９を参照して説明する。
図１は、本発明の第一実施形態における見守りシステムの概略図である。
見守りシステム１は、浄水器１０（水処理装置）の操作状態を監視し、それによって、その浄水器１０のユーザの生活状況を見守るシステムである。浄水器１０のユーザとは、例えば、浄水器１０が取り付けられた水栓が備えられた家に住む人であって見守られる側の人である。以下、浄水器１０のユーザを被見守り人Ａと呼ぶ。見守りシステム１は、浄水器１０と、第一端末装置２０と、メールサーバ端末装置３０と、第二端末装置４０とを含む。第一端末装置２０と、メールサーバ端末装置３０と、第二端末装置４０とはインターネット等のネットワークを介して通信可能に接続されている。また、浄水器１０は、ＢＬＥ（Ｂｌｕｅｔｏｏｔｈ  Ｌｏｗ  Ｅｎｅｒｇｙ）（Ｂｌｕｅｔｏｏｔｈは登録商標）などの近距離無線通信を用いて第一端末装置２０と通信可能に接続される。
【００２１】
浄水器１０は、被見守り人Ａの住む家の水栓の蛇口に取り付けられた浄水器である。浄水器１０は、被見守り人Ａによる浄水器１０に対する操作（例えば、浄水、原水、シャワー等を切り替える操作）を検出し、その操作状態を判定し、判定した操作状態情報を記憶する。操作状態情報とは、例えば、所定の期間に被見守り人Ａが浄水、原水等を切り替えた回数などである。また、浄水器１０は、通信モジュールを内蔵しており、Ｂｌｕｅｔｏｏｔｈ（登録商標）、ＢＬＥ（Ｂｌｕｅｔｏｏｔｈ  Ｌｏｗ  Ｅｎｅｒｇｙ）（Ｂｌｕｅｔｏｏｔｈは登録商標）、ＺｉｇＢｅｅ（登録商標）などの近距離無線通信を用いて第一端末装置２０に、記憶した操作状態情報を送信する。第一端末装置２０とは、例えば、被見守り人Ａが所有するスマートフォン等の携帯端末装置である。第一端末装置２０には、ＢＬＥ等による通信に必要な通信モジュールや通信プログラムが備えられており、浄水器１０が送信した操作状態情報を受信する。
【００２２】
第一端末装置２０は、浄水器１０から受信した操作状態情報をメールサーバ端末装置３０へ送信する。メールサーバ端末装置３０は、操作状態情報を含む電子メールを第二端末装置４０へ送信する。この第二端末装置４０のユーザは、被見守り人Ａを見守る側の人である。以下、第二端末装置４０のユーザを見守り人Ｂと呼ぶ。見守り人Ｂは、例えば、被見守り人Ａと離れた場所に住んでいる。被見守り人Ａが、規則正しく生活している場合、被見守り人Ａは、浄水器１０を操作して浄水、原水、シャワーを切り替えて水を使用すると考えられる。見守り人Ｂは、メールサーバ端末装置３０から受信した電子メールに含まれる操作状態情報に基づいて、被見守り人Ａが規則正しく生活しているかどうかを確認する。
【００２３】
図２は、本発明の第一実施形態における浄水器１０の斜視図である。
図２に例示する浄水器１０は、主に略八角柱状の浄水器本体２と略円柱状の浄水カートリッジ４とで構成されており、略水平方向に沿う浄水器本体２の一方の端部に対して略鉛直方向に沿う浄水カートリッジ４の下部が結合されて略Ｌ字状を呈している。また、この浄水器１０は、その前後方向の中央断面（以下、単に中央断面と称す）で面対称となるように形成されている。ここで、この実施の形態において前後方向とは、蛇口３のアーム３ａに対して浄水器１０の上面視の長手方向が垂直となるように取り付けられた状態で、蛇口３の正面つまりアーム３ａの延長線上に立った使用者から見た前後方向をいう。なお、浄水器本体２は略八角柱状に限られるものではなく中央断面で面対称であればよい。
【００２４】
浄水器１０は、中央断面を基準として面対称となるケース本体５で覆われている。ケース本体５上部の略中央には、蛇口３から原水である水道水を受け入れる受入口（原水受入口）７が形成され、この受入口７がリング状の取付治具８を介して蛇口３の吐出口に取り付けられている。浄水器本体２には、切換操作部６が設けられている。切換操作部６は、浄水器本体２の長手方向に沿う回動軸の周りを前後方向に回動可能に形成されている。切換操作部６を操作することで、受入口７に供給された水道水の流路を切り替え、浄水器本体２の底部に設けられた原水出口、または、シャワー出口、あるいは、浄水カートリッジ４の低部に設けられた浄水出口、の何れか一つから吐出させることができる。例えば、切換操作部６を、前後方向の奥側に回動させると、浄水カートリッジ４内の濾過材で濾過した浄水が浄水出口から吐出される。また、切換操作部６を、前後方向の手前側に回動させると、原水が直接原水出口から吐出される。また、切換操作部６を、前後方向の中間位置に回動させると、シャワー出口からシャワー状の原水が吐出される。各出口に対応する切換操作部６の切り替え位置をそれぞれ、浄水位置、シャワー位置、原水位置と呼ぶ。
なお、次に説明するように、切換操作部６には、略円盤状に形成された操作状態検出装置１００が内蔵されている。
【００２５】
図３は、本発明の第一実施形態における浄水器１０の切換操作部６付近の側面図である。図４は、本発明の第一実施形態における操作状態検出装置１００の実装例を示す図である。
図３に示すように操作状態検出装置１００は、切換操作部６内部の図３に例示する位置に、切換操作部６と一体的に取り付けられている。つまり、操作状態検出装置１００は、被見守り人Ａによる浄水位置、シャワー位置、原水位置の切り替え操作（回動操作）に伴って、切換操作部６と共に回動する。操作状態検出装置１００は、この回動によって切換操作部６に対して行われた回動操作を検出する。
操作状態検出装置１００は、略円盤状の基板１１０、動きセンサ１０１、通信モジュール１０２、電源部１０３、記憶部１０４を含んで構成される。
動きセンサ１０１は、切換操作部６の回動操作に伴う操作状態検出装置１００の動きを検出する。動きセンサ１０１は、例えば、３軸加速度センサである。
通信モジュール１０２は、通信機能の他、マイコン等のコンピュータによる演算機能、ＲＴＣ（real time clock）等の機能を提供する回路を搭載したモジュールである。通信モジュール１０２は、例えば、ＢＬＥモジュールである。
電源部１０３は、操作状態検出装置１００に電力を供給する。電源部１０３は、例えば、ボタン電池である。電源部１０３によって、電源ケーブル等を必要とせずに操作状態検出装置１００に電力を供給することが可能となる。
記憶部１０４は、例えばＥＥＰＲＯＭ（Electrically Erasable Programmable Read-Only Memory）等の記憶媒体で構成された記憶装置である。
図３、図４で例示するように、動きセンサ１０１、通信モジュール１０２、記憶部１０４は、基板１１０の一方の面１１０ａに実装され、電源部１０３は基板１１０の他方の面１１０ｂに設けられた電池収納部１０５に収納されている。
次に図５を用いて、操作状態検出装置１００の機能について説明する。なお、以下の説明では、動きセンサ１０１が３軸加速度センサ、通信モジュール１０２がＢＬＥモジュール、電源部１０３がボタン電池の場合を例に説明を行う。
【００２６】
図５は、本発明の第一実施形態における操作状態検出装置１００の機能ブロック図である。
図示するように操作状態検出装置１００は、動きセンサ１０１、制御部１０２ａ、時刻検出部１０２ｂ、通信部１０２ｃ、電源部１０３、記憶部１０４を備えている。なお、制御部１０２ａ、時刻検出部１０２ｂ、通信部１０２ｃは、通信モジュール１０２が備える機能である。
動きセンサ１０１は、操作状態検出装置１００に加わるＸ軸、Ｙ軸、Ｚ軸の各々の方向の加速度を検出する。動きセンサ１０１は、検出結果を制御部１０２ａに出力する。
制御部１０２ａは、動きセンサ１０１が検出した加速度に基づいて、切換操作部６に対する回動操作の有無、あるいは、切換操作部６の浄水位置、シャワー位置、原水位置の各位置への切り替えを判定する。制御部１０２ａは、切換操作部６に対して行われた回動操作に関する情報（操作状態情報）を記憶部１０４に記録する。この制御部１０２ａは、通信モジュール１０２が備えるコンピュータがプログラムを読み出して実行することによって発揮する機能である。
時刻検出部１０２ｂは、現在の時刻を計測する。
通信部１０２ｃは、制御部１０２ａによって判定された操作状態情報を第一端末装置２０へ送信する。より具体的には、通信部１０２ｃは、所定の送信時刻を迎えると、アドバタイズ処理を行って、被見守り人Ａが有する第一端末装置２０と接続し、操作状態情報の送信を行う。
電源部１０３は、動きセンサ１０１、通信モジュール１０２、記憶部１０４に電力を供給する。
記憶部１０４は、操作状態情報等の種々の情報を記憶する。
【００２７】
次に、制御部１０２ａが操作状態情報を判定する処理について説明する。例えば、被見守り人Ａが、切換操作部６を奥側にひねり、浄水位置に設定したとする。すると、動きセンサ１０１は、図４に示すＸ軸方向、Ｙ軸方向の加速度を検出する。制御部１０２ａは、これらの加速度のうち、例えば、Ｘ軸方向の加速度を監視し、Ｘ軸の正方向に、所定の閾値以上の加速度を、連続して所定時間以上検出すると、シャワー位置から浄水位置に切り替えられたと判定する。また、逆に、制御部１０２ａは、Ｘ軸の負方向に、所定の閾値以上の加速度を、連続して所定時間以上検出すると、シャワー位置から原水位置に切り替えられたと判定する。制御部１０２ａは、シャワー位置から浄水位置等に切り替えられたことと、その時刻とを記憶部１０４に記録する。また、制御部１０２ａは、切換操作部６の切り替えの判定を、Ｘ軸方向の加速度によってのみ行い、Ｙ軸方向、Ｚ軸方向について検出された加速度の変化については無視する。また、制御部１０２ａは、Ｘ軸方向の加速度であっても、その加速度の検出時間が一瞬（例えば、０．２秒以内）であれば、それは被見守り人Ａによる回動操作ではなく、一時的な振動などであると判定し、この検出結果を無視する。
このようにして、制御部１０２ａは、被見守り人Ａによる切換操作部６に対する回動操作を検出することができる。
【００２８】
なお、例えば、切換操作部６の初期位置がシャワー位置であるとして、Ｘ軸の正方向にどれぐらいの時間にわたって所定以上の加速度を検出すると浄水位置に切り替わるかといった判定に必要な情報は予め定められているとする。また、制御部１０２ａは、一旦、切換操作部６が浄水位置に設定された後、Ｘ軸の負方向に、所定の閾値以上の加速度を、連続して所定時間（例えばＴ１）以上検出すると、浄水位置からシャワー位置に切り替えられたと判定する。また、制御部１０２ａは、一旦、切換操作部６が浄水位置に設定された後、Ｘ軸の負方向に所定の閾値以上の加速度を、連続して所定時間（例えばＴ２、Ｔ２＞Ｔ１）以上検出すると、浄水位置から（シャワー位置を通り越して）原水位置に切り替えられたと判定する。同様にして、制御部１０２ａは、被見守り人Ａが原水位置に設定された切換操作部６をシャワー位置や浄水位置に切り替えたとき場合にも、その操作状態を検出することができる。
【００２９】
図６は、本発明の第一実施形態において記憶部１０４に記録された操作状態情報の一例を示す図である。
上記のとおり、制御部１０２ａは、切換操作部６が切り替えられると、切り替え後の位置（原水位置、シャワー位置、浄水位置のうち何れの位置か）とその切り替え時刻とを記憶部１０４に記録する。また、制御部１０２ａは、図６で示すように所定の時間帯ごとに、切り替え後の設定位置とその位置に設定された累積回数とを記憶部１０４に記録してもよい。例えば、図６の記録によると、被見守り人Ａは、ＹＹＹＹ年ＭＭ月Ｄ１日の７：００〜１９：００の間に切換操作部６を浄水位置に２回、シャワー位置に３回、原水位置に２回設定し、続いて、ＹＹＹＹ年ＭＭ月Ｄ１日の１９：００から翌Ｄ２日の７：００までの間に、切換操作部６を浄水位置に１回、シャワー位置に２回、原水位置に１回設定したことを示している。
被見守り人Ａと離れて生活する見守り人Ｂが、この情報を閲覧することができれば、ＹＹＹＹ年ＭＭ月Ｄ１日からＹＹＹＹ年ＭＭ月Ｄ２日にかけての、被見守り人Ａの生活の様子を把握することができる。また、見守り人Ｂが、毎日定期的にこのような情報を閲覧することができれば、被見守り人Ａの生活状況やその変動を把握することができる。
【００３０】
次に、浄水器１０（操作状態検出装置１００）が操作状態情報を検出してから、見守り人Ｂの第二端末装置４０に送信されるまでの操作状態情報の送受信タイミングについて説明する。
図７は、本発明の第一実施形態における操作状態情報の送受信タイミングを説明する図である。
前提として、操作状態情報の集計対象時間が７：００〜１９：００、１９：００〜翌日７：００、集計された操作状態情報の送信時刻が８：００（集計対象時間は７：００〜１９：００）、２０：００（集計対象時間は１９：００〜翌日７：００）に設定されているとする。また、操作状態情報の見守り人Ｂへの報告時刻は、１日に２回、９：００、２１：００に設定されているとする。この場合、制御部１０２ａは、前日の１９：００から当日の７：００までの１２時間において検出した操作状態情報を集計する。例えば、制御部１０２ａは、図６で例示したようにこの時間帯における設定位置ごとの設定回数の累積値を記憶部１０４に記録する。同様に、制御部１０２ａは、当日の７：００から１９：００までの１２時間において検出した操作状態情報を集計する。
【００３１】
そして、通信部１０２ｃは、８：００になると、アドバタイズ処理による第一端末装置２０との接続を行ってから、前日１９：００〜当日７：００の間に検出された操作状態情報を第一端末装置２０へ送信する。より具体的には、通信部１０２ｃは、７：００〜８：００の間アドバタイズ・パケットを送信するよう設定されており（時間帯Ａ１）、７：００になるとアドバタイズ・パケットの送信を開始する。一方、第一端末装置２０は、７：００〜８：００の間アドバタイズ・パケットをスキャンするよう設定されており（時間帯Ｂ１）、７：００になると、アドバタイズ・パケットのスキャンを開始する。第一端末装置２０が操作状態検出装置１００の通信範囲内に存在する場合、第一端末装置２０は、アドバタイズ・パケットを受信して浄水器１０（操作状態検出装置１００）との接続を確立する。接続が確立されると、通信部１０２ｃは、記憶部１０４に記録された操作状態情報を読み出して、第一端末装置２０へ送信する。また、接続が確立されると、通信部１０２ｃはアドバタイズ・パケットの送信を停止し、第一端末装置２０はスキャンを停止する。このようにして、所定の時刻を迎えると、浄水器１０は、それまでに集計した操作状態情報を第一端末装置２０に送信する。
【００３２】
一方、第一端末装置２０は、操作状態情報を受信して自装置の記憶部に記録する。そして、操作状態情報の送信時刻である８：００を迎えると、第一端末装置２０は、先に操作状態検出装置１００から受信した操作状態情報、浄水器１０の識別情報（または、操作状態検出装置１００の識別情報）等をメールサーバ端末装置３０へ送信する。最後に、メールサーバ端末装置３０は、９：００を迎えると、８：００に受信した操作状態情報（例えば、前日１９：００〜当日７：００の間に検出された原水位置、シャワー位置、浄水位置の各位置への累積設定回数）を含む電子メールを作成し、第二端末装置４０と紐付けられたメールアドレス宛にその電子メールを送信する。これにより、見守り人Ｂは、朝９：００には、前日１９：００〜当日７：００の操作状態情報を閲覧することができる。なお、メールサーバ端末装置３０には、浄水器１０の識別情報と第二端末装置４０とを対応付けた情報が登録されているものとする。
【００３３】
当日７：００から１９：００までの操作状態情報についても同様である。つまり、通信部１０２ｃは１９：００（時間帯Ａ２）を迎えると、アドバタイズ・パケットを送信し、第一端末装置２０は１９：００（時間帯Ｂ２）を迎えると、アドバタイズ・パケットのスキャンを開始する。そして、第一端末装置２０は、操作状態検出装置１００との接続を確立し、７：００〜１９：００の間に検出された操作状態情報を、第一端末装置２０に送信する。そして、第一端末装置２０は、２０：００を迎えると、その操作状態情報をメールサーバ端末装置３０へ送信する。最後に、メールサーバ端末装置３０は、２１：００を迎えると、２０：００に受信した操作状態情報を含む電子メールを作成し、第二端末装置４０と紐付けられたメールアドレス宛に送信する。
【００３４】
例えば、特許文献１に記載のビーコン装置では、消耗品の状態を逐次把握するため、送信間隔を短くした断続的な通信が必要となる。このため、電池の消耗が激しいという問題がある。これに対し、本実施形態の操作状態検出装置１００の場合、１日のうち所定の回数（例えば２回）のみ、第一端末装置２０との通信を行い、その他の時間帯については、動きセンサ１０１および制御部１０２ａによる検出処理のみを行う。これにより電源部１０３が消費する電力を節約し、ボタン電池の電力だけで長い期間、操作状態検出装置１００を駆動することができる。
【００３５】
最後に見守りシステム１における操作状態情報の検出および送信処理の流れについて説明する。
まず、浄水器１０における操作状態情報の検出および浄水器１０と第一端末装置２０との間の操作状態情報の送信処理の流れについて説明する。
図８は、本発明の第一実施形態における操作状態情報の検出および送信処理の一例を示すフローチャートである。
説明の便宜のため、初期状態において、切換操作部６はシャワー位置に設定されているとする。また、切換操作部６がシャワー位置に設定されていることは、記憶部１０４に記録されているとする。
まず、動きセンサ１０１が操作状態検出装置１００に加わるＸＹＺの３軸方向それぞれの加速度を検出する。動きセンサ１０１は、検出した加速度を制御部１０２ａへ出力する。動きセンサ１０１によって加速度が出力されると、制御部１０２ａは起動する。そして、制御部１０２ａは、動きセンサ１０１がＸ軸方向に所定の閾値以上の加速度を所定時間以上検出したかどうかを判定する（ステップＳ１１）。動きセンサ１０１から取得したＸ軸方向の加速度がこの条件を満たさない場合（ステップＳ１１；Ｎｏ）、制御部１０２ａは、時々刻々と動きセンサ１０１が検出する加速度情報（検出値）を取得し、ステップＳ１１の判定を繰り返す。この条件を満たす場合（ステップＳ１１；Ｙｅｓ）、制御部１０２ａは、検出した操作状態情報を記憶部１０４に記録する（ステップＳ１２）。例えば、制御部１０２ａは、検出した加速度がＸ軸正方向の場合、切換操作部６の切り替え位置は浄水位置であると判定し、時刻検出部１０２ｂが検出した時刻と対応付けて記憶部１０４に記録する。あるいは、制御部１０２ａは、図６で例示したように、時刻検出部１０２ｂが検出した時刻が含まれる集計対象時間における浄水位置の累積回数に１を加算してもよい。次に通信部１０２ｃが、操作状態情報の送信時刻かどうかを判定する（ステップＳ１３）。例えば、通信部１０２ｃは、時刻検出部１０２ｂの検出した現在時刻を取得して、その現在時刻と予め定められた送信時刻とを比較し、送信時刻を迎えたかどうかを判定する。送信時刻は、例えば、８：００、２０：００など、１日に２回程度の時刻が予め定められていてもよい。現在が送信時刻ではない場合（ステップＳ１３；Ｎｏ）、ステップＳ１１からの処理を繰り返す。現在が送信時刻の場合（ステップＳ１３；Ｙｅｓ）、通信部１０２ｃは、操作状態情報を第一端末装置２０へ送信する（ステップＳ１４）。例えば、通信部１０２ｃは、直前の集計対象時間において検出された浄水位置、原水位置、シャワー位置の設定回数の累積値を記憶部１０４から読み出して、これら操作状態情報（直前の集計対象時間の範囲と読み出した各位置の累積値）と浄水器１０の識別情報とを第一端末装置２０へ送信する。また、例えば、前回の送信時刻において何らかの問題により、操作状態情報の送信ができなかったような場合、通信部１０２ｃは、直前の集計対象時間における操作状態情報だけではなく、1つ前の集計対象時間における操作状態情報を併せて送信してもよい。なお、操作状態情報の送信にあたっては、図７を用いて説明したように通信部１０２ｃは、アドバタイズ・パケットの送信を行い、第一端末装置２０との接続の確立を行う。通信部１０２ｃが、操作状態情報の送信を終えると、制御部１０２ａは、記憶部１０４から送信済みの操作状態情報を削除する（ステップＳ１５）。また、通信部１０２ｃからの受信を終えると、第一端末装置２０は、接続を切断する。
【００３６】
次に第一端末装置２０、メールサーバ端末装置３０、第二端末装置４０間の操作状態情報の送信処理の流れについて説明する。
図９は、本発明の第一実施形態における操作状態情報の送信処理の一例を示すフローチャートである。
まず、第一端末装置２０が、浄水器１０から受信した操作状態情報の送信時刻（図７の例で８：００、２０：００）かどうかを判定する（ステップＳ２１）。送信時刻ではない場合（ステップＳ２１；Ｎｏ）、ステップＳ２１の処理を繰り返す。送信時刻である場合（ステップＳ２１；Ｙｅｓ）、第一端末装置２０は、操作状態情報と浄水器１０の識別情報と報告設定時刻情報とをメールサーバ端末装置３０へ送信する（ステップＳ２２）。メールサーバ端末装置３０は、操作状態情報と浄水器１０の識別情報と報告設定時刻情報とを受信する。次に、メールサーバ端末装置３０は、報告設定時刻（図７の例で９：００、２１：００）を迎えたかどうかを判定する（ステップＳ２３）。報告設定時刻ではない場合（ステップＳ２３；Ｎｏ）、メールサーバ端末装置３０は、報告設定時刻となるまで待機する。報告設定時刻を迎えた場合（ステップＳ２３；Ｙｅｓ）、メールサーバ端末装置３０は、操作状態情報を含む電子メールを作成する。また、メールサーバ端末装置３０は、浄水器１０の識別情報に対応する第二端末装置４０を特定し、作成した電子メールを第二端末装置４０と紐付けられたメールアドレス宛に送信する（ステップＳ２４）。
【００３７】
本実施形態の浄水器１０によれば、操作状態検出装置１００を備えているので、被見守り人Ａによる切換操作部６の回動操作を検出することができる。また、本実施形態の見守りシステム１によれば、操作状態検出装置１００が検出した切換操作部６の操作状態情報を、見守り人Ｂに送信することができる。これにより、見守り人Ｂは、離れて生活する被見守り人Ａが生活する家のキッチン等の水栓に浄水器１０を取り付け、浄水器１０の操作状態検出装置１００と通信可能な第一端末装置２０を被見守り人Ａに持たせるだけで、被見守り人Ａの浄水器１０の使用状況に基づく生活状況を把握することができる。
【００３８】
なお、第一端末装置２０は、スマートフォン等の携帯端末でなく、例えば、浄水器１０との通信距離内に設置されたＰＣ（personal computer）やインターネットに接続された専用の通信端末装置であってもよい。また、動きセンサ１０１として、回転センサ、傾斜計などを切換操作部６に取り付け、切換操作部６の回動操作を検出するようにしてもよい。また、切換操作部６の浄水位置、シャワー位置、原水位置への切り替えを検出するスイッチを設け、切換操作部６の回動操作を検出するようにしてもよい。また、切換操作部６の浄水位置、シャワー位置、原水位置への切り替えをそれぞれ検出するのではなく、設定位置の変更の有無（回動操作の有無）のみを検出し、操作状態情報に設定位置の変更回数だけを含めるようにしてもよい。
【００３９】
また、メールサーバ端末装置３０が送信する電子メールには、今回の集計対象時間における各位置への設定回数だけではなく、例えば、１週間単位または１カ月単位の各位置への設定回数を含めるようにしてもよい。これにより、見守り人Ｂは、被見守り人Ａの浄水器１０の操作を通じた生活状況の、長期間にわたる変化を監視することができる。また、上記例では、半日単位での設定回数を集計して、操作状態検出装置１００から第一端末装置２０へ送信することとしたが、時間ごとの替え回数を送信するようにし、メールサーバ端末装置３０が送信する電子メールにも時間ごとの替え回数を含めるようにしてもよい。このようにすることで、見守り人Ｂは、被見守り人Ａが夜何時ぐらいまで活動しているか等、日々の生活のリズムをより詳しく把握できる可能性がある。また、例えば、見守り人Ｂは、被見守り人Ａが食事の準備をする時間帯に浄水を使用しているかなど浄水器１０を通じた健康や安全に関係するより詳細な情報を得ることができる。
【００４０】
＜第二実施形態＞
以下、本発明の第二実施形態による見守りシステムを図１０〜図１２を参照して説明する。
図１０は、本発明の第二実施形態において操作状態検出装置１００が検出する浄水器１０の移動方向を説明する図である。
第一実施形態では、操作状態検出装置１００が切換操作部６の回動操作を検出した。第二実施形態における操作状態検出装置１００ａは、切換操作部６の回動操作に加え、蛇口３の水平方向の移動を検出する。具体的には、図１０において、水栓本体９は、流し台１１の上に回転可能に設置されている。つまり、蛇口３は、水栓本体９の軸回りに回転（矢印方向）することができる。操作状態検出装置１００ａは、被見守り人Ａが蛇口３を水平方向に回転させたときに、この水平方向の動きを検出する。
【００４１】
図１１は、本発明の第二実施形態における操作状態検出装置１００ａの機能ブロック図である。
本発明の第二実施形態に係る構成のうち、本発明の第一実施形態に係る操作状態検出装置１００を構成する機能部と同じものには同じ符号を付し、それぞれの説明を省略する。また、操作状態検出装置１００ａは、第一実施形態と同様に浄水器１０の切換操作部６に取り付けられている。図示するように操作状態検出装置１００ａは、動きセンサ１０１、制御部１０２ｄ、時刻検出部１０２ｂ、通信部１０２ｃ、電源部１０３、記憶部１０４を備えている。つまり、第二実施形態に係る操作状態検出装置１００ａは、第一実施形態の制御部１０２ａに代えて、制御部１０２ｄを備えている。また、第一実施形態における動きセンサ１０１は、切換操作部６の回動操作を検出できる各種センサ、スイッチ等でよいが、第二実施形態における動きセンサ１０１は、切換操作部６の回動操作に加え、蛇口３の水平方向の回転を検出できる必要がある。第二実施形態における動きセンサ１０１には、３軸加速度センサが好適である。
【００４２】
制御部１０２ｄは、動きセンサ１０１のＸ軸方向の検出値に基づいて、切換操作部６に対する回動操作の有無、あるいは、切換操作部６の浄水位置、シャワー位置、原水位置の各位置への切り替えを検出する。切換操作部６の回動操作に対する判定方法は、第一実施形態と同様である。また、制御部１０２ｄは、動きセンサ１０１のＺ軸方向（図４）の検出値に基づいて、蛇口３の移動に伴う浄水器１０の水平方向の動きの有無を検出する。例えば、被見守り人Ａが、蛇口３を右側または左側に回動する。すると、動きセンサ１０１は、図４に示すＺ軸方向の加速度を検出する。制御部１０２ｄは、Ｚ軸方向の加速度を監視し、所定の閾値以上の加速度を連続して所定時間以上検出すると、蛇口３が移動したと判定する。このようにして、制御部１０２ｄは、被見守り人Ａが蛇口３を移動させたことを検出することができる。
【００４３】
次に本実施形態の見守りシステム１の動作について図１２を用いて説明を行う。
図１２は、本発明の第二実施形態における操作状態情報の検出および送信処理の一例を示すフローチャートである。図８で説明した処理については簡単に説明する。
まず、動きセンサ１０１が操作状態検出装置１００に加わるＸＹＺの３軸方向それぞれの加速度を検出する。動きセンサ１０１は、検出した加速度を制御部１０２ｄへ出力する。次に、制御部１０２ｄは、動きセンサ１０１がＸ軸方向またはＺ軸方向に所定の閾値以上の加速度を所定時間以上検出したかどうかを判定する（ステップＳ１１´）。この条件を満たさない場合（ステップＳ１１´；Ｎｏ）、制御部１０２ｄは、ステップＳ１１´の判定を繰り返す。この条件を満たす場合（ステップＳ１１´；Ｙｅｓ）、制御部１０２ｄは、検出した操作状態情報を記憶部１０４に記録する（ステップＳ１２）。検出した加速度がＸ軸方向の場合、制御部１０２ｄは、第一実施形態と同様に切換操作部６の設定位置を判定し、切換操作部６の設定位置と時刻検出部１０２ｂが検出した時刻とを対応付けて記憶部１０４に記録する。また、検出した加速度がＺ軸方向の場合、制御部１０２ｄは、蛇口３が移動したと判定し、蛇口３が移動したことと時刻検出部１０２ｂが検出した時刻とを対応付けて記憶部１０４に記録する。第二実施形態の操作状態情報は、切換操作部６の回動操作に加え、蛇口３の移動操作の結果を含んでいる。
次に通信部１０２ｃが、操作状態情報の送信時刻かどうかを判定し（ステップＳ１３）、送信時刻の場合（ステップＳ１３；Ｙｅｓ）、操作状態情報を第一端末装置２０へ送信する（ステップＳ１４）。通信部１０２ｃが、操作状態情報の送信を終えると、制御部１０２ａは、記憶部１０４から送信済みの操作状態情報を削除する（ステップＳ１５）。
【００４４】
また、第一端末装置２０は、図９を用いて説明した第一実施形態の場合と同様に、操作状態情報をメールサーバ端末装置３０へ送信する。また、メールサーバ端末装置３０は、報告設定時刻を迎えると、操作状態情報を含んだ電子メールを、第二端末装置４０と紐付けられたメールアドレス宛に送信する。本実施形態では、見守り人Ｂが閲覧する電子メールには、被見守り人Ａによる切換操作部６の回動操作や蛇口３の移動操作の実績が含まれている。
【００４５】
本実施形態の浄水器１０によれば、切換操作部６の回動操作だけではなく、蛇口３の移動を検出することにより、被見守り人Ａが水回りで行った行動をより広く検出することができる。つまり、被見守り人Ａが切換操作部６の回動操作を行わなかった場合でも、水を使用するときに蛇口３を移動させた場合は、この動きを検出することができる。これにより、見守り人Ｂは、被見守り人Ａの生活ぶりをより詳細に知ることができる。
【００４６】
＜第三実施形態＞
以下、本発明の第三実施形態による見守りシステムを図１３を参照して説明する。
第一実施形態、第二実施形態では、蛇口取り付け型の浄水器１０が操作状態検出装置１００、１００ａを内蔵していた。第三実施形態は、アンダーシンク型の浄水器に操作状態検出装置１００等を取り付け、被見守り人Ａの行動を把握する見守りシステムに関する。アンダーシンク型の浄水器には、流し台下に濾過装置が設置され、水栓に設けられた操作部を操作することによって浄水と原水を切り替えることができるもの（複合水栓）や、湯や原水を吐出する水栓とは別に浄水専用の水栓を設けたもの（専用水栓）が存在する。
【００４７】
図１３は、本発明の第三実施形態における複合水栓５０の斜視図である。
複合水栓５０は、栓本体５１と、栓本体５１の上部に取り付けられたホルダ５２と、栓本体５１の右端部に設けられた湯水バルブ５３と、栓本体５１の左端部に設けられた浄水バルブ５４と、ホルダ５２の先端に配置されたノズル５６と流し台の上に設置された脚部５５を主要な構成としている。湯水バルブ５３の操作部５３ａは、左右方向に傾転可能で且つ前後方向に回動可能になっている。湯水バルブの開閉および流量調節は、操作部５３ａの左右方向の傾転により行うことができ、水と湯の混合割合の調整は、操作部５３ａの前後方向の回動により行うことができる。つまり、操作部５３ａは、出水と停水とを切り替える操作部と、水と湯の混合割合を調整する操作部との機能を併せ持っている。
また、浄水バルブ５４の操作部５４ａは前後方向に回動可能になっていて、例えば、操作部５４ａの突起部５４ｂを図１３に示すように上方に向けた状態において、浄水バルブ５４は開となり、この状態から前方に９０度回転して、突起部５４ｂを前方に向けると、浄水バルブ５４は閉となる。このように操作部５３ａ、操作部５４ａを操作することにより、複合水栓５０は、任意の流量の水、湯、湯水混合水、浄水を吐出する。
【００４８】
このような複合水栓５０において、例えば、図１３に示すように、操作状態検出装置１００を操作部５４ａに取り付ける。すると、被見守り人Ａが浄水と原水を切り替える操作を、操作状態検出装置１００によって検出することができる。
また、操作状態検出装置１００ａを操作部５３ａに取り付ける。すると、被見守り人Ａが操作部５３ａを左右方向に傾転させたり前後方向に回動させたりする操作を、操作状態検出装置１００ａによって検出することができる。（前後方向の回動をＸ軸方向の加速度、左右方向の傾転をＺ軸方向の加速度に基づいて検出する。）また、操作部５３ａのように吐出口からの出水と停水とを切り替える操作部に操作状態検出装置１００等が取り付けられた場合、出水と停水との切り替え時刻を記録することで、被見守り人Ａの操作による出水なのか、地震などで操作部５３ａが出水側に切り替わり、水が吐出され続けているのかなどを把握できる可能性がある。
【００４９】
本実施形態における操作状態検出装置１００、１００ａから第一端末装置２０への操作状態情報の送信、第一端末装置２０からメールサーバ端末装置３０への操作状態情報の送信、メールサーバ端末装置３０から第二端末装置４０への電子メールの送信等の動作については、第一実施形態や第二実施形態と同様である。なお、図１３において、操作部５３ａと操作部５４ａのそれぞれに操作状態検出装置１００等を取り付ける場合を例に説明を行ったが、どちらか一方にのみ取り付けても構わない。また、図１３では、複合水栓の場合を例に説明を行ったが、専用水栓の場合でも、例えば、湯や原水を吐出する水栓の操作部（出水と停水とを切り替える操作部、または、水と湯の混合割合を調整する操作部）に操作状態検出装置１００等を取り付けることで、被見守り人Ａの操作を検出することができる。
【００５０】
本実施形態によれば、蛇口取り付け型の浄水器１０だけでなく、アンダーシンク型の浄水器の場合にも、被見守り人Ａが水回りで行った行動をより広く検出することができる。また、出水と停水とを切り替える操作部（または、水と湯の混合割合を調整する操作部）に操作状態検出装置１００等を設けることによって、被見守り人Ａが水を流す行動を検出することができ、例えば、被見守り人Ａが操作部５４ａの切り替えをあまり行わずに生活しているような場合でも、見守り人Ｂは、被見守り人Ａの生活状況をより的確に把握することができる。
【００５１】
＜第四実施形態＞
以下、本発明の第四実施形態による見守りシステムを図１４〜図１５を参照して説明する。
第一実施形態〜第三実施形態では、キッチン等に導入する浄水器、水栓などの水処理装置に操作状態検出装置１００、１００ａを取り付けて、被見守り人Ａの行動を把握する例を説明した。この第四実施形態では、浴室や洗面台のシャワーに操作状態検出装置１００を取り付ける例を説明する。
【００５２】
図１４は、本発明の第四実施形態におけるシャワー装置６０の側面図である。
第四実施形態では、操作状態検出装置１００ｂがシャワーヘッド６１の内部に取り付けられる。操作状態検出装置１００ｂは、被見守り人Ａがシャワーヘッド６１を動かすと、この動きを検出する。
【００５３】
図１５は、本発明の第四実施形態における操作状態検出装置１００ｂの機能ブロック図である。
本発明の第四実施形態に係る構成のうち、第一実施形態に係る操作状態検出装置１００を構成する機能部と同じものには同じ符号を付し、それぞれの説明を省略する。操作状態検出装置１００ｂは、第一実施形態の制御部１０２ａに代えて、制御部１０２ｅを備えている。また、第四実施形態における動きセンサ１０１は、シャワーヘッド６１のあらゆる方向への動きを検出する３軸加速度センサが好適である。
【００５４】
制御部１０２ｅは、動きセンサ１０１のＸＹＺ軸の各方向の検出値に基づいて、シャワーヘッド６１の動きを検出する位置、例えば、被見守り人Ａが、シャワーヘッド６１を手に持ってシャワーを使用した場合、動きセンサ１０１は、ＸＹＺ軸方向のうちの１つ又は複数の加速度を検出する。制御部１０２ｅは、例えば、何れかの方向に所定の閾値以上の加速度を連続して所定時間以上検出すると、シャワーヘッド６１が動いたと判定する。すると、制御部１０２ｅは、操作状態情報を記憶部１０４に記録する。本実施形態の操作状態情報とは、例えば、シャワーヘッド６１の動きを検出したことを示す情報と、動きを検出した時の時刻（時刻検出部１０２ｂが検出した時刻）とを含む。あるいは、さらにシャワーヘッド６１の動いた方向の情報を含めてもよい。
【００５５】
次に本実施形態の見守りシステム１の動作について図８、図９、図１２を参考に説明を行う。まず、動きセンサ１０１が操作状態検出装置１００に加わるＸＹＺの３軸方向それぞれの加速度を検出する。動きセンサ１０１は、検出した加速度を制御部１０２ｅへ出力する。次に、制御部１０２ｅは、動きセンサ１０１がＸ軸方向、Ｙ軸方向、Ｚ軸方向のうち少なくとも一つに所定の閾値以上の加速度を所定時間以上検出したかどうかを判定する。この条件を満たさない場合、制御部１０２ｅは、同様の判定を繰り返す。この条件を満たす場合、制御部１０２ｅは、検出した操作状態情報を記憶部１０４に記録する（ステップＳ１２）。次に、操作状態情報の送信時刻となると（ステップＳ１３；Ｙｅｓ）、通信部１０２ｃが、操作状態情報を第一端末装置２０へ送信する（ステップＳ１４）。操作状態情報の送信を終えると、制御部１０２ａは、記憶部１０４から送信済みの操作状態情報を削除する（ステップＳ１５）。
【００５６】
また、図９で説明した処理と同様に、所定の送信時刻が訪れると、通信部１０２ｃは第一端末装置２０に、操作状態情報とシャワーヘッド６１の識別情報（または操作状態検出装置１００ｂの識別情報）とを送信する。また、第一端末装置２０は、メールサーバ端末装置３０に操作状態情報等を送信する。また、メールサーバ端末装置３０は、操作状態情報を含んだ電子メールを、第二端末装置４０と紐付けられたメールアドレス宛に送信する。これにより、見守り人Ｂは、シャワーの使用状況を通じて被見守り人Ａの生活状況を把握することができる。
なお、第四実施形態は、第一実施形態〜第三実施形態の何れとも組み合わせることが可能である。
【００５７】
その他、本発明の趣旨を逸脱しない範囲で、上記した実施の形態における構成要素を周知の構成要素に置き換えることは適宜可能である。また、この発明の技術範囲は上記の実施形態に限られるものではなく、本発明の趣旨を逸脱しない範囲において種々の変更を加えることが可能である。なお、浄水器１０、複合水栓５０、シャワーは、水処理装置の一例である。切換操作部６、操作部５３ａ、操作部５４ａ、シャワーヘッド６１は操作部の一例である。操作状態情報は見守り情報の送信方法の一例である。
【符号の説明】
【００５８】
１・・・見守りシステム
２・・・浄水器本体
３・・・蛇口
３ａ・・・アーム
４・・・浄水カートリッジ
５・・・ケース本体
６・・・切換操作部
７・・・受入口
８・・・取付治具
１０・・・浄水器
２０・・・第一端末装置
３０・・・メールサーバ端末装置
４０・・・第二端末装置
１００、１００ａ、１００ｂ・・・操作状態検出装置
１１０・・・略円盤状の基板
１０１・・・動きセンサ
１０２・・・通信モジュール  
１０３・・・電源部
１０４・・・記憶部
５０・・・複合水栓
５１・・・栓本体
５２・・・ホルダ
５３・・・湯水バルブ
５３ａ・・・操作部
５４・・・浄水バルブ
５４ａ・・・操作部
５４ｂ・・・突起部
５５・・・脚部
５６・・・ノズル
６０・・・シャワー装置
６１・・・シャワーヘッド
【図１】
2018005478.tif 000003
【図２】
2018005478.tif 000004
【図３】
2018005478.tif 000005
【図４】
2018005478.tif 000006
【図５】
2018005478.tif 000007
【図６】
2018005478.tif 000008
【図７】
2018005478.tif 000009
【図８】
2018005478.tif 000010
【図９】
2018005478.tif 000011
【図１０】
2018005478.tif 000012
【図１１】
2018005478.tif 000013
【図１２】
2018005478.tif 000014
【図１３】
2018005478.tif 000015
【図１４】
2018005478.tif 000016
【図１５】
2018005478.tif 000017